(57)【要約】【課題】学習者による解答の仕方の分析が可能なｅラーニングシステム及びｅラーニング用プログラムを提供する。【解決手段】ページ遷移監視部１２は、学習者が教材データ６１による学習を行っているときに、学習者によるページ切替操作に応じた本文ページと三択問題ページ又は記述問題ページ間の表示の遷移を監視して、本文ページと三択問題ページ又は記述問題ページ間の表示の遷移を、前記学習の開始時点からの経過時間と関連付けて記録した遷移履歴データを生成する。解答過程情報出力部１３は、遷移履歴データに基づいて、本文ページと三択問題ページ又は記述問題ページ間の表示の遷移を時系列に示したページ遷移グラフのデータを生成して出力する。【選択図】  図１
2016194557.tif 000002
【特許請求の範囲】
【請求項１】
学習者に対して情報を表示する表示部と、
学習者による入力操作を受け付ける操作入力部と、
特定情報を表示する情報表示ページと、前記特定情報に関する問題と解答欄とが表示される問題解答ページとを、別ページとして構成された教材データを保持した教材データベースと、
学習者が前記教材データによる学習を行っているときに、前記教材データベースから前記教材データを読み込んで、ページ単位で前記表示部に表示し、学習者による前記操作入力部の操作に応じて、前記情報表示ページと前記問題解答ページとを切り替えて前記表示部に表示する表示制御部と、
学習者が前記教材データによる学習を行っているときに、学習者による前記操作入力部の操作に応じた前記情報表示ページと前記問題解答ページ間の表示の遷移を監視して、前記情報表示ページと前記問題解答ページ間の表示の遷移を、前記学習の開始時点からの経過時間と関連付けて記録した遷移履歴データを生成するページ遷移監視部と、
前記遷移履歴データに基づいて、前記情報表示ページと前記問題解答ページ間の遷移状況を時系列に示したページ遷移グラフのデータを生成し、該ページ遷移グラフのデータを出力する解答過程情報出力部と
を備えたことを特徴とするｅラーニングシステム。
【請求項２】
請求項１に記載のｅラーニングシステムにおいて、
前記問題解答ページに表示される問題は記述問題であって、前記解答欄に文字を入力することを要求し、
学習者が前記教材データによる学習を行っているときに、前記解答欄に入力されている文字の個数を監視して、前記解答欄に入力されている文字の個数の変化を、前記学習の開始時点からの経過時間と関連付けて記録した文字数履歴データを生成する入力文字数監視部を備え、
前記解答過程情報出力部は、前記解答欄に入力されている文字の個数の変化を時系列グラフ化した文字数変化グラフのデータを生成し、該文字数変化グラフのデータを出力することを特徴とするｅラーニングシステム。
【請求項３】
請求項１又は請求項２に記載のｅラーニングシステムにおいて、
前記情報表示ページと前記問題解答ページ間の評価用の時系列の遷移パターンを示す評価用遷移グラフと、前記ページ遷移グラフとを、同一の時間軸によって示す解答過程比較グラフのデータを生成し、該解答過程比較グラフのデータを出力する比較情報出力部を備えたことを特徴とするｅラーニングシステム。
【請求項４】
請求項１から請求項３のうちのいずれか１項に記載のｅラーニングシステムにおいて、
前記特定情報は文章であり、
前記表示部に前記情報表示ページが表示されているときに、使用者による前記操作入力部による操作に応じて、語句の意味を調べるための辞書機能を提供する辞書機能提供部を備え、
前記辞書機能により調べられた語句の情報を示す辞書参照データを記録する辞書参照データ記録部と、
前記辞書参照データに基づいて、前記辞書機能により調べられた語句の情報を記録した参照語句データを生成し、該参照語句データを出力する参照語句情報出力部と
を備えたことを特徴とするｅラーニングシステム。
【請求項５】
学習者に対して情報を表示する表示部と、学習者による入力操作を受け付ける操作入力部とを備えたコンピュータを、
学習者が前記教材データによる学習を行っているときに、特定情報を表示する情報表示ページと、前記特定情報に関する問題と解答欄とが表示される問題解答ページとを、別ページとして構成された教材データを保持した教材データベースから、前記教材データを読み込んで、ページ単位で前記表示部に表示し、学習者による前記操作入力部の操作に応じて、前記情報表示ページと前記問題解答ページとを切り替えて前記表示部に表示する表示制御部と、
学習者が前記教材データによる学習を行っているときに、学習者による前記操作入力部の操作に応じた前記情報表示ページと前記問題解答ページ間の表示の遷移を監視して、前記情報表示ページと前記問題解答ページ間の表示の遷移を、前記学習の開始時点からの経過時点からの経過時間と関連付けて記録した遷移履歴データを生成するページ遷移監視部と、
前記遷移履歴データに基づいて、前記情報表示ページと前記問題解答ページ間の遷移状況を時系列に示したページ遷移グラフのデータを生成し、該ページ遷移グラフのデータを出力する解答過程情報出力部と
して機能させることを特徴とするｅラーニング用プログラム。
【発明の詳細な説明】
【技術分野】
【０００１】
本発明は、ｅラーニングによる学習履歴を記録するｅラーニングシステム及びｅラーニング用プログラムに関する。
【背景技術】
【０００２】
従来、パソコン、タブレット端末等の情報端末を用いて、学習者による学習をサポートするｅラーニングシステムが普及している。ｅラーニングを利用する学習者は、情報端末を介して、情報の取得、提示される問題に対する解答等を行う。
【０００３】
そして、ｅラーニングによる学習の効果を評価するために、問題を解答する際に学習者が参照したページの情報を取得して、参照したページと問題の内容とが関連しているか否かを判断し、両者が関連している場合には学習者の理解が高いと判定判断するようにしたｅラーニングシステムが提案されている（例えば、特許文献１参照）。
【先行技術文献】
【特許文献】
【０００４】
【特許文献１】特開２０１０−２７７０４６号公報
【発明の概要】
【発明が解決しようとする課題】
【０００５】
特許文献１に記載されたｅラーニングシステムによれば、学習者の理解度を判定することができるが、学習者の理解度の他に、各学習者の解答の仕方（各学習者が解答する際に採用したストラテジー）についても分析したいという要望がある。
【０００６】
本発明はかかる背景に鑑みてなされたものであり、学習者による解答の仕方の分析が可能なｅラーニングシステム及びｅラーニング用プログラムを提供することを目的とする。
【課題を解決するための手段】
【０００７】
本発明のｅラーニングシステムは、
学習者に対して情報を表示する表示部と、
学習者による入力操作を受け付ける操作入力部と、
特定情報を表示する情報表示ページと、前記特定情報に関する問題と解答欄とが表示される問題解答ページとを、別ページとして構成された教材データを保持した教材データベースと、
学習者が前記教材データによる学習を行っているときに、前記教材データベースから前記教材データを読み込んで、ページ単位で前記表示部に表示し、学習者による前記操作入力部の操作に応じて、前記情報表示ページと前記問題解答ページとを切り替えて前記表示部に表示する表示制御部と、
学習者が前記教材データによる学習を行っているときに、学習者による前記操作入力部の操作に応じた前記情報表示ページと前記問題解答ページ間の表示の遷移を監視して、前記情報表示ページと前記問題解答ページ間の表示の遷移を、前記学習の開始時点からの経過時間と関連付けて記録した遷移履歴データを生成するページ遷移監視部と、
前記遷移履歴データに基づいて、前記情報表示ページと前記問題解答ページ間の遷移状況を時系列に示したページ遷移グラフのデータを生成し、該ページ遷移グラフのデータを出力する解答過程情報出力部と
を備えたことを特徴とする。
【０００８】
かかる本発明によれば、前記教材データは、前記情報表示ページと前記問題解答ページとを別ページとして構成され、前記表示制御部は、前記教材データをページ単位で前記表示部に表示する。
【０００９】
そのため、前記ｅラーングシステムを利用する学習者は、前記表示部に前記情報表示ページを表示させて前記特定情報の内容を理解した後、前記表示部の表示を前記問題解答ページに切り替えて、問題に対する解答を入力するという手順で学習を行う。そして、解答の際に、前記特定情報の理解が不十分であると感じた学習者は、前記表示部の表示を再び前記情報表示ページに切り替えて、前記特定情報の内容を再確認すると想定される。
【００１０】
そこで、前記ページ遷移監視部は、このような学習者の操作による前記情報表示ページと前記問題解答ページ間の表示の遷移を、前記学習の開始時点からの経過時間と関連付けて記録した遷移履歴データを生成する。そして、前記解答過程情報提供部は、前記遷移履歴データに基づいて、前記情報表示ページと前記問題解答ページ間の遷移状況を時系列に示したページ遷移グラフのデータを生成して出力する。
【００１１】
このようにして出力される前記ページ遷移グラフのデータを用いて、前記ページ遷移グラフを表示或はプリントアウト等して参照し、学習者が解答に至るまでに、前記情報表示ページと前記問題解答ページ間でどの程度遷移を行ったか、遷移したページにどの程度滞在して閲覧したか、等を確認することによって、学習者の解答の仕方（学習者が解答に際して採用したストラテジー）を分析することができる。
【００１２】
また、前記問題解答ページに表示される問題は記述問題であって、前記解答欄に文字を入力することを要求し、
学習者が前記教材データによる学習を行っているときに、前記解答欄に入力されている文字の個数を監視して、前記解答欄に入力されている文字の個数の変化を、前記学習の開始時点からの経過時間と関連付けて記録した文字数履歴データを生成する入力文字数監視部を備え、
前記解答過程情報出力部は、前記解答欄に入力されている文字の個数の変化を時系列グラフ化した文字数変化グラフのデータを生成し、該文字数変化グラフのデータを出力することを特徴とする。
【００１３】
この構成によれば、前記入力文字数監視部により、前記解答欄に入力されている文字の個数の変化を、前記学習の開始時点からの経過時間と関連付けて記録した文字数履歴データが生成される。そして、前記解答過程情報出力部は、前記解答欄に入力されている文字の個数の変化を時系列グラフ化した文字数変化グラフのデータを生成して出力する。
【００１４】
このようにして、前記解答過程情報出力部から出力された前記文字数変化グラフのデータを用いて、前記文字数変化グラフを表示或はプリントアウト等し、前記文字数変化グラフを確認することにより、学習者が解答を行う際に行った見直しや修正の状況を分析することができる。
【００１５】
また、前記情報表示ページと前記問題解答ページ間の評価用の時系列の遷移パターンを示す評価用遷移グラフと、前記ページ遷移グラフとを、同一の時間軸によって示す解答過程比較グラフのデータを生成し、該解答過程比較グラフのデータを出力する比較情報出力部を備えたことを特徴とする。
【００１６】
この構成によれば、前記解答過程比較グラフのデータを用いて、前記解答過程比較グラフを表示或はプリントアウト等し、前記評価用遷移グラフと前記ページ遷移グラフとの相違を確認することによって、学習者の解答の仕方を評価することができる。
【００１７】
また、前記特定情報は文章であり、
前記表示部に前記情報表示ページが表示されているときに、使用者による前記操作入力部による操作に応じて、語句の意味を調べるための辞書機能を提供する辞書機能提供部を備え、
前記辞書機能により調べられた語句の情報を示す辞書参照データを記録する辞書参照データ記録部と、
前記辞書参照データに基づいて、前記辞書機能により調べられた語句の情報を記録した参照語句データを生成し、該参照語句データを出力する参照語句情報生成部と
を備えたことを特徴とする。
【００１８】
この構成によれば、前記参照語句データを用いて、前記辞書機能により調べられた語句の情報を分析することによって、学習者が理解できなかった語句を確認することができる。
【００１９】
次に、本発明のｅラーニング用プログラムは、
学習者に対して情報を表示する表示部と、学習者による入力操作を受け付ける操作入力部とを備えたコンピュータを、
学習者が前記教材データによる学習を行っているときに、特定情報を表示する情報表示ページと、前記特定情報に関する問題と解答欄とが表示される問題解答ページとを、別ページとして構成された教材データを保持した教材データベースから、前記教材データを読み込んで、ページ単位で前記表示部に表示し、学習者による前記操作入力部の操作に応じて、前記情報表示ページと前記問題解答ページとを切り替えて前記表示部に表示する表示制御部と、
学習者が前記教材データによる学習を行っているときに、学習者による前記操作入力部の操作に応じた前記情報表示ページと前記問題解答ページ間の表示の遷移を監視して、前記情報表示ページと前記問題解答ページ間の表示の遷移を、前記学習の開始時点からの経過時点からの経過時間と関連付けて記録した遷移履歴データを生成するページ遷移監視部と、
前記遷移履歴データに基づいて、前記情報表示ページと前記問題解答ページ間の遷移状況を時系列に示したページ遷移グラフのデータを生成し、該ページ遷移グラフのデータを出力する解答過程情報出力部と
して機能させることを特徴とする。
【００２０】
かかる本発明のｅラーニングプログラムを前記コンピュータによって実行することにより、上述したｅラーニングシステムの前記表示制御部、前記ページ遷移監視部、及び解答過程情報出力部を構成して、前記ｅラーニングシステムの機能を実現することができる。
【図面の簡単な説明】
【００２１】
【図１】本発明のｅラーニングシステムの構成図。
【図２】教材データの説明図。
【図３】ページ遷移監視処理の第１のフローチャート。
【図４】ページ遷移監視処理の第２のフローチャート。
【図５】ページ遷移グラフの説明図。
【発明を実施するための形態】
【００２２】
本発明の実施形態の一例について、図１〜図５を参照して説明する。
【００２３】
図１を参照して、本発明のｅラーニングシステムは、ＣＰＵ、メモリ、入出力インターフェース回路等を備えた制御装置１０（コンピュータ本体）と、制御装置１０に接続されたディスプレイ２０（本発明の表示部に相当する）、キーボード２１（本発明の操作入力部に相当する）、及びマウス２２（本発明の操作入力部に相当する）等を備えた情報端末装置１ａ（パソコン、タブレット端末等、本発明のコンピュータに相当する）により構成される。
【００２４】
制御装置１０に備えられたＣＰＵは、メモリに保持されたｅラーニング用プログラムを実行することによって、表示制御部１１、ページ遷移監視部１２、解答過程情報出力部１３、入力文字数監視部１４、比較情報出力部１５、辞書機能提供部１６、及び参照語句情報出力部１７として機能する。
【００２５】
情報端末装置１ａは、インターネット等の通信ネットワーク３０を介してｅラーニングサーバ５０（以下、単にサーバ５０という）と通信可能に接続される。ｅラーニング用プログラムは、サーバ５０から情報端末装置１ａにダウンロードされてもよく、記憶媒体から情報端末装置１ａに読み込まれてもよい。
【００２６】
サーバ５０には、ｅラーニング用の教材データ６１が保持された教材データベース６０と、ｅラーニングによる学習者Ａ，Ｂ，…の習履歴データ７１ａ，７２ｂ，…が保持された学習者データベース７０が備えられている。
【００２７】
ここで、本実施形態で使用される教材データ６１は、図２に示したように、設問の対象となる英語の文章（本文、本発明の特定情報に相当する）を表示する本文ページ６１ａ（本発明の情報表示ページに相当する）Ｐ１〜Ｐ９と、本文に対する三択問題と解答欄を表示する三択問題ページ６１ｂ（本発明の問題解答ページに相当する）Ｐ１０〜Ｐ１５と、本文に関する記述問題と解答欄を表示する記述問題ページ６１ｃ（本発明の問題解答ページに相当する）Ｐ１６〜Ｐ２５とを、ページ単位で別ページに区分して構成されている。
【００２８】
なお、教材データの情報表示ページにより表示される特定情報は、英語の文章の他、日本語の文章等の他言語の文章、写真、図形等であってもよい。
【００２９】
表示制御部１１は、サーバ５０の教材データベース６０から教材データ６１をダウンロードしてメモリに読み込み、学習者Ａによるページ切替操作（キーボード２１又はマウス２２によるページの送り／戻し操作）に応じて、ディスプレイ２０に表示する教材データ６１のページを切り替える。
【００３０】
ページ遷移監視部１２は、ｅラーニングの受講中におけるページ表示の遷移を監視し、遷移時刻を受講開始時からの経過時間と関連付けて記録した遷移履歴データ（ｐｔｒｓ_dat）を生成する。
【００３１】
解答過程情報出力部１３は、遷移履歴データ（ｐｔｒｓ_dat）に基づいて、ｅラーニングの受講中におけるページ表示の遷移を時系列に示したページ遷移グラフのデータ（ｔｇｒａｆ_dat）を生成する。
【００３２】
入力文字数監視部１４は、ｅラーニング受講中に、記述問題ページの解答欄に入力されている文字の個数を監視し、文字数の変化を受講開始時からの経過時間と関連付けて記録した文字数履歴データ（ｉｎｃａｒ_dat）を生成する。
【００３３】
比較情報出力部１５は、複数の学習者のページ遷移グラフを共通の時間軸によって示した解答過程比較グラフのデータ（ｃｍｐｇ_dat）、或は学習者のページ遷移グラフと予め生成された評価用ページ遷移グラフとを共通の時間軸によって示した解答過程比較グラフのデータ（ｃｍｐｇ_datを生成する。
【００３４】
ここで、評価用遷移グラフは、想定される理想的なページの遷移パターン、或は、複数の学習者の解答過程グラフを平均化したページの遷移パターン等に基づいて生成される。
【００３５】
辞書機能提供部１６は、ディスプレイ２０に本文ページが表示されているときに利用可能となる辞書機能（英和辞書機能）を、本体１０のメモリ或はサーバ５０に保持された辞書データを利用して実現する。
【００３６】
参照語句情報出力部１７は、辞書機能により参照された（意味が調べられた）語句をリスト化した参照語句データ（ｒｅｆｗ_dat）を生成する。
【００３７】
次に、図２〜図３に示したフローチャートに従って、ｅラーニングの受講中における表示制御部１１、ページ遷移監視部１２、解答過程情報出力部１３、入力文字数監視部１４、比較情報出力部１５、辞書機能提供部１６、及び参照語句情報出力部１７による一連の処理について説明する。
【００３８】
制御装置１０は、学習者によりｅラーニングのアプリケーションが起動されたときに、図３のＳＴＥＰ１からＳＴＥＰ２に進み、サーバ５０から教材データ６１をダウンロードして取得する。
【００３９】
続くＳＴＥＰ３は表示制御部１１による処理であり、表示制御部１１は、学習者により選択されている教材６１のページをディスプレイ２０に表示する。次のＳＴＥＰ４で、制御装置１０は、学習者により本文ページが選択中であるか否かを判断し、本文ページが選択中であるときはＳＴＥＰ５に進む。ＳＴＥＰ５及びＳＴＥＰ６は参照語句情報出力部１７による処理である。
【００４０】
参照語句情報出力部１７は、ＳＴＥＰ５で、学習者により辞書利用の操作があったか否かを判断する。そして、辞書利用の操作があったときはＳＴＥＰ１０に分岐し、辞書利用の操作がなかったときにはＳＴＥＰ６に進む。ＳＴＥＰ１０で、参照語句情報出力部１７は、学習者が辞書により参照した語句を参照語句データ（ｒｅｆｗ_dat）に記録する。
【００４１】
ＳＴＥＰ６及びＳＴＥＰ７はページ遷移監視部１２による処理である。ページ遷移監視部１２は、ＳＴＥＰ６で、学習者によるページの切替操作があったか否かを判断する。そして、ページの切替操作があったときはＳＴＥＰ７に進み、ページの切替操作がなかったときにはＳＴＥＰ３に戻る。
【００４２】
ＳＴＥＰ７で、ページ遷移監視部１２は、ページの切替操作がなされた時点（ｅラーニングの開始時点からの経過時間）と、切替後のページＮｏを遷移履歴データ（ｐｔｒｓ_dat）に記録する。
【００４３】
次に、図４は三択問題ページ又は記述問題ページが選択されてディスプレイ２０に表示されている場合の処理である。
【００４４】
制御装置１０は、ＳＴＥＰ２０で、選択されているページが記述問題ページであるか否かを判断する。そして、記述問題ページが選択されているときはＳＴＥＰ３０に分岐し、記述問題ページが選択されていないとき（三択問題が選択されているとき）にはＳＴＥＰ２１に進む。
【００４５】
ＳＴＥＰ３０〜ＳＴＥＰ３１は、入力文字数監視部１４による処理である。入力文字数監視部１４は、ＳＴＥＰ３０で学習者による解答欄への文字入力の操作があったときにＳＴＥＰ３１に進み、解答欄に入力されている文字数を、文字が入力された時点（ｅラーニングが開始された時点からの経過時間）と関連付けて、文字数履歴データ（ｉｎｃａｒ_dat）に記録する。また、ＳＴＥＰ３０で、文字入力の操作がなされていないときにはＳＴＥＰ２３に分岐する。
【００４６】
また、ＳＴＥＰ２１で、制御装置１０は、三択問題の選択操作があったか否かを判断する。そして、三択問題の選択操作があったときはＳＴＥＰ２２に進み、三択問題の選択操作がなかったときにはＳＴＥＰ２３に分岐する。ＳＴＥＰ２２で、制御装置１０は、選択された選択肢の番号を記録してＳＴＥＰ２３に進む。
【００４７】
ＳＴＥＰ２３〜ＳＴＥＰ２４は、ページ遷移監視部１２による処理である。ページ遷移監視部１２は、ＳＴＥＰ２３で、学習者によりページ切替の操作があったか否かを判断する。そして、ページ切替の操作があったときはＳＴＥＰ２４に進み、ページ切替の操作がなかったときにはＳＴＥＰ２０に戻る。
【００４８】
ＳＴＥＰ２４で、ページ遷移監視部１２は、ページ切替の操作があった時点（ｅラーニングが開始された時点からの経過時間）と切替後のページＮｏを遷移履歴データ（ｐｔｒｓ_dat）に記録して図３のＳＴＥＰ３に戻る。
【００４９】
制御装置１０は、図３〜図４のフローチャートによる処理を、使用者がｅラーニングを終了するまで継続して実行し、その結果、ｅラーニングの終了時には、学習中のページの遷移状況を示す遷移履歴データ（ｐｔｒｓ_dat）と、学習中の記述問題ページの解答欄への入力文字数の推移を示す文字数履歴データ（ｉｎｃａｒ_dat）と、学習中に辞書により参照された語句を示す辞書参照データ（ｒｅｆｗ_dat）とが生成されている。
【００５０】
制御装置１０は、このようにして生成された遷移履歴データ（ｐｔｒｓ_dat）、文字数履歴データ（ｉｎｃａｒ_dat）、及び辞書参照データ（ｒｅｆｗ_dat）を、サーバ５０にアップロードする。サーバ５０は、アップロードされた遷移履歴データ（ｐｔｒｓ_dat）、文字数履歴データ（ｉｎｃａｒ_dat）、及び辞書参照データ（ｒｅｆｗ_dat）を、各学習者に対応した学習履歴データとして記録する。
【００５１】
制御装置１０は、学習者Ａによるページ遷移グラフ及び文字数変化グラフの表示指示に応じて、遷移履歴データ（ｐｔｒｓ_dat）を用いて、図５に示したページ遷移グラフのデータを生成し、表示制御部１１は、ページ遷移グラフデータに基づいて、ディスプレイ２０にページ遷移グラフを表示する。
【００５２】
図５を参照して、ページ遷移グラフは、横軸をｅラーニングの開始時点ｔ0からの経過時間に設定し、左縦軸を選択されている（ディスプレイ２０に表示されている）教材データ６１のページ番号に設定し、右縦軸を記述問題１，２の解答欄に入力されている文字の個数に設定して、ページ番号の遷移ＰＴ、記述問題１の解答欄に入力されている文字数の変化Ｑ１、及び記述問題２の解答欄に入力されている文字数の変化Ｑ２を示したものである。
【００５３】
ページ番号の遷移ＰＴを示す部分が、ページ遷移グラフであり、文字数の変化Ｑ１，Ｑ２を示す部分が文字数変化ブラフである。なお、図５では、Ｐ１６〜Ｐ２５（記述問題１〜１０）のうち、記述問題１，２についてのみ文字数変化グラフを示し、他の記述問題については表示を省略している。−
ページ番号の遷移を示すＰＴから、学習者Ａによる解答の仕方を分析することができる。学習者Ａは、学習を開始したｔ0〜ｔ1まで、本文（Ｐ．１〜Ｐ９）を通して読み、続くｔ1〜ｔ2で、三択問題（Ｐ．１０〜Ｐ．１５）を比較的短時間で解答している。
【００５４】
そして、ｔ2から記述問題１（Ｐ．１６）に取り掛かったが、解答することができずに、ｔ3〜ｔ4では本文（Ｐ．２〜Ｐ．８）に戻って読み直している。次の記述問題２についても、同様に、問題文を読んだ後に本文に戻って読み直している。このことから、学習者Ａは、記述問題に解答する際に、先ず問題文を読んでから本文を読み直して、解答するという解き方（ストラテジー）を採用していることが分析できる。
【００５５】
また、記述問題１の解答欄に入力された文字数の変化Ｑ１，Ｑ２から、学習者Ａが解答する際にどれくらい修正を行ったがわかるため、学習者Ａにとって問題が難しかった否か等を分析することができる。
【００５６】
なお、通信ネットワーク３０を介してサーバ５０と通信可能に接続された他の情報通信端末１ｂ、１ｃ、１ｄ、１ｅによっても、サーバ５０から学習者Ａの遷移履歴データ（ｐｔｒｓ_dat）、文字数履歴データ（ｉｎｃａｒ_dat）、及び辞書参照データ（ｒｅｆｗ_dat）をダウンロードすることによって、学習者Ａのページ遷移グラフをディスプレイに表示したり、プリントアウトすることができる。
【００５７】
また、サーバ５０から複数の学習者の遷移履歴データ（ｐｔｒｓ_dat）をダウンロードすることにより、複数学習者のページ遷移データを、共通の時間軸により比較してディスプレイに表示することもできる。
【００５８】
また、学習者のページ遷移グラフと、予め生成された評価用ページ遷移グラフを、供給の時間軸により比較してディスプレイに表示させることもできる。
【００５９】
なお、本実施形態においては、入力文字数監視部１４により文字数履歴データを生成する処理と、比較情報出力部１５により複数のページ遷移グラフを比較した解答過程比較データを生成する処理と、参照語句情報出力部１７により参照語句データを生成する処理とを行ったが、これらの処理を行わない場合であっても、本発明の効果を得ることができる。
【符号の説明】
【００６０】
１ａ…情報端末装置、１０…制御装置（コンピュータ本体）、１１…表示制御部、１２…ページ遷移監視部、１３…解答過程情報出力部、１４…入力文字数監視部、１５…比較情報出力部、１６…辞書機能提供部、１７…参照語句譲歩9宇出力部、２０…ディスプレイ（表示部）、２１…キーボード（操作入力部）、２２…マウス（操作入力部）、３０…通信ネットワーク、５０…ｅラーニングサーバ、６０…教材データベース、６１…教材データ、７０…学習者データベース。
【図５】
2016194557.tif 000003
【図１】
2016194557.tif 000004
【図２】
2016194557.tif 000005
【図３】
2016194557.tif 000006
【図４】
2016194557.tif 000007